(57)【要約】【課題】操作部材に誤って手等が当たらないように工夫することで、キャップ本体が不用意に外れ落ちるのを防止できるようにしたレンズキャップを提供する。【解決手段】レンズ鏡胴の前端開口を覆うキャップ本体２の前面に、操作部材３Ａ，３Ｂの外周面がキャップ本体２の外周面から外方に突出しないように取り囲むとともに、操作部材３Ａ，３Ｂの裏面が当て止められる凹部２ａが形成されている。凹部２ａの底面２ｂに、係合部３ａを嵌め入れる第１開口部２ｃと、第１係止部３ｂを嵌め入れる第２開口部２ｄとが形成されている。キャップ本体２の裏面側のカバープレート５Ａ，５Ｂに、第１係止部３ｂに係止される第１被係止部５ａと、第２係止部３ｃに係止される第２被係止部５ｂとが形成されている。【選択図】図１
2015169872.tif 000002
【特許請求の範囲】
【請求項１】
レンズ鏡胴の前端開口を覆うキャップ本体と、前記キャップ本体の前面に、このキャップ本体の中心に対して内外方向にスライド可能に取付けられた一対の操作部材とを備え、前記操作部材が付勢力によって外方にスライドされた時に、前記操作部材の外端の係合部が前記前端開口の被係合部に係合することで、前記キャップ本体が前記レンズ鏡胴の前端開口に取付けられるレンズキャップにおいて、
前記操作部材の内端に第１係止部が形成され、前記操作部材の裏面に第２係止部が形成される一方、
前記キャップ本体の前面に、前記操作部材の外周面が前記キャップ本体の外周面から外方に突出しないように取り囲むとともに、前記操作部材の裏面が当て止められる凹部が形成され、前記凹部の底面に、前記操作部材の係合部を前面側から裏面側に嵌め入れる第１開口部と、前記操作部材の第１係止部を前面側から裏面側に嵌め入れる第２開口部とが形成され、
前記キャップ本体の裏面側にカバープレートが配置され、前記カバープレートに、前記操作部材の第１係止部に係止される第１被係止部と、前記操作部材の第２係止部に係止される第２被係止部とが形成され、
前記カバープレートと前記キャップ本体の裏面との間に付勢部材が配置され、前記カバープレートが前記付勢部材で外方に付勢されることで、前記操作部材を外方にスライド付勢するものであることを特徴とするレンズキャップ。
【請求項２】
前記カバープレートに、前記付勢部材の周囲を覆う覆い部が形成されていることを特徴とする請求項１に記載のレンズキャップ。
【請求項３】
前記操作部材の第１係止部は内方向きのフックであり、前記カバープレートの第１被係止部は、前記フックで係止されるフック孔であり、
前記操作部材の第２係止部は後向きの突起であり、前記カバープレートの第２被係止部は、前記突起が嵌入する嵌入孔であることを特徴とする請求項１または２に記載のレンズキャップ。
【発明の詳細な説明】
【技術分野】
【０００１】
本発明は、レンズキャップに関する。
【背景技術】
【０００２】
従来、レンズ鏡胴の前端開口を覆うキャップ本体の前面に、このキャップ本体の中心に対して内外方向にスライド可能に取付けられた一対の操作部材を備えたレンズキャップがある（特許文献１参照）。
【０００３】
そして、操作部材が付勢力によって外方にスライドされた時に、操作部材の係合部が前端開口の被係合部に係合することで、キャップ本体がレンズ鏡胴の前端開口に取付けられるようになる。
【０００４】
また、キャップ本体の外周面から外方に突出する操作部材の外端部を指で内方にスライドさせた時に、操作部材の係合部が前端開口の被係合部から外れることで、キャップ本体をレンズ鏡胴の前端開口から取外せるようになる。
【先行技術文献】
【特許文献】
【０００５】
【特許文献１】特開２０１３−７７７２号公報
【発明の概要】
【発明が解決しようとする課題】
【０００６】
しかしながら、操作部材の外端部は、キャップ本体の外周面から外方に突出させた構造である。そのため、キャップ本体をレンズ鏡胴の前端開口に取付けた状態で、操作部材の突出した外端部に誤って手等が当たると、操作部材が内方にスライドされて、キャップ本体が不用意に外れ落ちるおそれがあるという問題があった。
【０００７】
本発明は、前記問題を解消するためになされたもので、操作部材に誤って手等が当たらないように工夫することで、キャップ本体が不用意に外れ落ちるのを防止できるようにしたレンズキャップを提供することを目的とするものである。
【課題を解決するための手段】
【０００８】
前記課題を解決するために、本発明は、レンズ鏡胴の前端開口を覆うキャップ本体と、前記キャップ本体の前面に、このキャップ本体の中心に対して内外方向にスライド可能に取付けられた一対の操作部材とを備えている。そして、前記操作部材が付勢力によって外方にスライドされた時に、前記操作部材の外端の係合部が前記前端開口の被係合部に係合することで、前記キャップ本体が前記レンズ鏡胴の前端開口に取付けられるレンズキャップである。前記操作部材の内端に第１係止部が形成され、前記操作部材の裏面に第２係止部が形成される。前記キャップ本体の前面に、前記操作部材の外周面が前記キャップ本体の外周面から外方に突出しないように取り囲むとともに、前記操作部材の裏面が当て止められる凹部が形成されている。前記凹部の底面に、前記操作部材の係合部を前面側から裏面側に嵌め入れる第１開口部と、前記操作部材の第１係止部を前面側から裏面側に嵌め入れる第２開口部とが形成されている。前記キャップ本体の裏面側にカバープレートが配置され、前記カバープレートに、前記操作部材の第１係止部に係止される第１被係止部と、前記操作部材の第２係止部に係止される第２被係止部とが形成されている。前記カバープレートと前記キャップ本体の裏面との間に付勢部材が配置され、前記カバープレートが前記付勢部材で外方に付勢されることで、前記操作部材を外方にスライド付勢するものである。
【０００９】
本発明によれば、キャップ本体の前面の凹部に嵌め込んだ操作部材の外周面は、キャップ本体の外周面から外方に突出しないように、凹部の内面部で取り囲まれるようになる。これにより、凹部で取り囲まれた操作部材に誤って手等が当たらないようになるから、キャップ本体が不用意に外れ落ちるのを防止できるようになる。
【００１０】
また、操作部材の係合部を第１開口部から、操作部材の第１係止部を第２開口部から、それぞれ凹部の底面の裏面側に嵌め入れることで、操作部材の裏面が凹部の底面で当て止められて、裏面方向に移動しないように規制される。また、キャップ本体の裏面側で、カバープレートの第１被係止部を操作部材の第１係止部に係止し、カバープレートの第２被係止部を操作部材の第２係止部に係止することで、キャップ本体が前面方向に移動しないように規制される。これにより、操作部材は、凹部から前方に抜け外れなくなる。
【００１１】
さらに、カバープレートとキャップ本体の裏面との間に配置した付勢部材で、カバープレートを外方に付勢することで、操作部材を外方にスライド付勢するから、カバープレートを利用して、操作部材の前方の抜け外れを防止できるようになる。
【００１２】
前記カバープレートに、前記付勢部材の周囲を覆う覆い部が形成されている構成とすることができる。
【００１３】
この構成によれば、付勢部材（例えばコイルスプリング）の周囲がカバープレートの覆い部で完全に覆われるから、見栄えが良好になるとともに、ユーザーが誤って付勢部材に触れるおそれがなくなる。
【００１４】
前記操作部材の第１係止部は内方向きのフックであり、前記カバープレートの第１被係止部は、前記フックで係止されるフック孔である。前記操作部材の第２係止部は後向きの突起であり、前記カバープレートの第２被係止部は、前記突起が嵌入する嵌入孔である構成とすることができる。
【００１５】
この構成によれば、操作部材のフックにカバープレートのフック孔を係止するとともに、操作部材の突起にカバープレートの嵌入孔を嵌入することで、キャップ本体に操作部材とカバープレートとをワンタッチで組み付けることができる。また、カバープレートは、嵌入孔を操作部材の突起から外した状態で、付勢部材の付勢力に抗してフック孔を操作部材のフックから外さないと、操作部材から分離できない。これにより、ユーザーが誤ってカバープレートに触れても、カバープレートが外れるおそれがなくなる。
【発明の効果】
【００１６】
本発明によれば、操作部材に誤って手等が当たらないので、キャップ本体が不用意に外れ落ちるのを防止できる。
【図面の簡単な説明】
【００１７】
【図１】本発明に係るレンズキャップであり、（ａ）は前面側の斜視図、（ｂ）は裏面側の斜視図である。
【図２】図１のレンズキャップであり、（ａ）は操作部材の外方向のスライド時の正面図、（ｂ）は（ａ）の断面図である。
【図３】図１のレンズキャップであり、（ａ）は操作部材の内方向のスライド時の正面図、（ｂ）は（ａ）の断面図である。
【図４】キャップ本体であり、（ａ）は正面図、（ｂ）は背面図である。
【図５】操作部材であり、（ａ）は平面図、（ｂ）は正面図、（ｃ）は側面図、（ｄ）は背面図である。
【図６】一方のカバープレートであり、（ａ）は平面図、（ｂ）は正面図、（ｃ）は側面図、（ｄ）は背面図である。
【図７】他方のカバープレートであり、（ａ）は平面図、（ｂ）は正面図、（ｃ）は側面図、（ｄ）は背面図である。
【発明を実施するための形態】
【００１８】
以下、本発明を実施するための形態について、図面を参照しながら詳細に説明する。図１はレンズキャップ１であり、（ａ）は前面側の斜視図、（ｂ）は裏面側の斜視図である。図２はレンズキャップ１であり、（ａ）は操作部材３Ａ，３Ｂの外方向のスライド時の正面図、（ｂ）は（ａ）の断面図である。図３はレンズキャップ１であり、（ａ）は操作部材３Ａ，３Ｂの内方向のスライド時の正面図、（ｂ）は（ａ）の断面図である。
【００１９】
レンズキャップ１は、キャップ本体２と、一対の操作部材３Ａ，３Ｂと、一対のコイルスプリング（付勢部材）４Ａ，４Ｂと、一対のカバープレート５Ａ，５Ｂとで構成されている。
【００２０】
キャップ本体２と操作部材３Ａ，３Ｂとカバープレート５Ａ，５Ｂは、例えば合成樹脂（ＰＣ／ＡＢＳ等）製であり、コイルスプリング４Ａ，４Ｂは、例えば金属製である。なお、素材はこれらに限定されるものではない。
【００２１】
キャップ本体２は、図４にも示すように、レンズ鏡胴の前端開口を覆う円形の外形状に形成されている。キャップ本体２の前面において、光軸中心に対する点対称の位置に、操作部材３Ａ，３Ｂの外周面がキャップ本体２の外周面から外方に突出しないように取り囲む凹部２ａがそれぞれ形成されている。
【００２２】
図５にも示すように、操作部材３Ａ，３Ｂの外端には、レンズ鏡胴の前端開口の被係合部（雌ねじ…不図示）に係合可能な円弧状の係合部（雄ねじ）３ａが形成されている。この係合部３ａが前端開口の被係合部に係合することで、キャップ本体２がレンズ鏡胴の前端開口に着脱可能に取付けられるようになる。
【００２３】
また、操作部材３Ａ，３Ｂの内端には、内方向きフック状の第１係止部３ｂが形成され、操作部材３Ａ，３Ｂの裏面の係合部３ａの手前には、後向き突起状の第２係止部３ｃが形成されている。
【００２４】
さらに、係合部３ａの両側には平行なガイド面３ｄが形成され、第１係止部３ｂの両側には平行なガイド面３ｅが形成されている。
【００２５】
一方、キャップ本体２の各凹部２ａには、操作部材３Ａ，３Ｂの裏面３ｆが当て止められる底面２ｂを有している。この底面２ｂには、操作部材３Ａ，３Ｂの係合部３ａを前面側から裏面側に嵌め入れるための第１開口部２ｃと、操作部材３Ａ，３Ｂの第１係止部３ｂを前面側から裏面側に嵌め入れるための第２開口部２ｄとが形成されている。
【００２６】
操作部材３Ａ，３Ｂは、係合部３ａの両側のガイド面３ｄが第１開口部２ｃの両側のガイド面２ｅでガイドされるとともに、第１係止部３ｂの両側のガイド面３ｅが第２開口部２ｄのガイド面２ｆでガイドされるようになる。これにより、操作部材３Ａ，３Ｂは、キャップ本体２の中心に対して内外方向にスライドガイドされるようになる。
【００２７】
キャップ本体２の裏面には、第２開口部２ｄのガイド面２ｆよりもやや内側位置に一対の縦リブ２ｇが形成され、縦リブ２ｇの長さ方向の中間位置（キャップ本体２の中心）に横リブ２ｈが形成されている。横リブ２ｈの両面には、コイルスプリング４Ａ，４Ｂの移動止め用突起２ｊがそれぞれ形成されている。
【００２８】
キャップ本体２の上凸部２ｋは、操作部材３Ａ，３Ｂの内方スライド時に下凸部３ｇが当接することで、内方ストッパーとなり、キャップ本体２の上凹部２ｌは、操作部材３Ａ，３Ｂの外方スライド時に下凸部３ｈが当接することで、外方ストッパーとなる。
【００２９】
図６および図７に示すように、キャップ本体２の裏面側に配置される一対のカバープレート５Ａ，５Ｂには、操作部材３Ａ，３Ｂのフック状の第１係止部３ｂに係止されるフック孔状の第１被係止部５ａが形成されている。また、操作部材３Ａ，３Ｂの突起状の第２係止部３ｃに嵌入して係止される嵌入孔状の第２被係止部５ｂが形成されている。
【００３０】
さらに、カバープレート５Ａ，５Ｂには、キャップ本体２の一対の縦リブ２ｇの間に嵌入する突台部５ｃが形成され、この突台部５ｃには、コイルスプリング４Ａ，４Ｂの移動止め用突起５ｄがそれぞれ形成されている。
【００３１】
コイルスプリング４Ａ，４Ｂは、外端部がカバープレート５Ａ，５Ｂの突台部５ｃの移動止め用突起５ｄの外側に嵌め込まれ、内端部が横リブ２ｈの移動止め用突起２ｊの間で保持されるようになる。
【００３２】
なお、横リブ２ｈを無くして、１本のコイルスプリングの外端部をカバープレート５Ａ，５Ｂの突台部５ｃの移動止め用突起５ｄにそれぞれ嵌め込むことも可能である。また、コイルスプリング４Ａ，４Ｂに代えて、弾性ラバー等の付勢部材を用いることも可能である。
【００３３】
そして、カバープレート５Ａ，５Ｂがコイルスプリング４Ａ，４Ｂでそれぞれ外方に付勢されることで、第１被係止部５ａと第１係止部３ｂを介して操作部材３Ａ，３Ｂが外方にスライド付勢されるようになる。
【００３４】
カバープレート５Ａ，５Ｂの内端部５ｅ，５ｆは、内方にそれぞれ延在されている。カバープレート５Ａの内端部５ｅは、カバープレート５Ｂの内端部５ｆに後方でオーバーラップする長さに設定され、カバープレート５Ａの内端部５ｅの両縁には前方に立ち上がる側縁部５ｇが形成されている。カバープレート５Ａ，５Ｂの内端部５ｅ，５ｆおよび側縁部５ｇは、キャップ本体２の縦リブ２ｇとともに、コイルスプリング４Ａ，４Ｂの周囲を覆う覆い部として機能する。
【００３５】
前記のようにレンズキャップ１を構成すれば、キャップ本体２の前面の凹部２ａに嵌め込んだ操作部材３Ａ，３Ｂの外周面は、キャップ本体２の外周面から外方に突出しないように、凹部２ａの内面部で取り囲まれるようになる。これにより、凹部２ａで取り囲まれた操作部材３Ａ，３Ｂに誤って手等が当たらないようになるから、キャップ本体２が不用意に外れ落ちるのを防止できるようになる。
【００３６】
また、操作部材３Ａ，３Ｂの係合部３ａを第１開口部２ｃから、操作部材３Ａ，３Ｂの第１係止部３ｂを第２開口部２ｄから、それぞれ凹部２ａの底面２ｂの裏面側に嵌め入れる。これにより、操作部材３Ａ，３Ｂの裏面３ｆが凹部２ａの底面２ｂで当て止められて、裏面方向に移動しないように規制される。
【００３７】
さらに、キャップ本体２の裏面側で、カバープレート５Ａ，５Ｂのフック孔状の第１被係止部５ａを操作部材３Ａ，３Ｂのフック状の第１係止部３ｂに係止する。また、カバープレート５Ａ，５Ｂの嵌入孔状の第２被係止部５ｂを操作部材３Ａ，３Ｂの突起状の第２係止部３ｃに係止する。これにより、キャップ本体２が前面方向に移動しないように規制される。この結果、操作部材３Ａ，３Ｂは、凹部２ａから前方に抜け外れなくなる。なお、第１係止部３ｂと第１被係止部５ａはフックとフック孔に限られず、第２係止部３ｃと第２被係止部５ｂは突起と嵌入孔に限られるものではない。
【００３８】
さらに、カバープレート５Ａ，５Ｂとキャップ本体２の裏面との間に配置したコイルスプリング４Ａ，４Ｂで、カバープレート５Ａ，５Ｂを外方に付勢することで、操作部材３Ａ，３Ｂを外方にスライド付勢する。これにより、カバープレート５Ａ，５Ｂを利用して、操作部材３Ａ，３Ｂの前方の抜け外れを防止できるようになる。
【００３９】
また、カバープレート５Ａ，５Ｂに、コイルスプリング４Ａ，４Ｂの周囲を覆う覆い部として機能する内端部５ｅ，５ｆおよび側縁部５ｇを形成しているから、コイルスプリング４Ａ，４Ｂが覆い部で完全に覆われる。これにより、見栄えが良好になるとともに、ユーザーが誤ってコイルスプリング４Ａ，４Ｂに触れるおそれがなくなる。
【００４０】
さらに、操作部材３Ａ，３Ｂのフック状の第１係止部３ｂにカバープレート５Ａ，５Ｂのフック孔状の第１被係止部５ａを係止する。ついで、操作部材３Ａ，３Ｂの突起状の第２係止部３ｃにカバープレート５Ａ，５Ｂの嵌入孔状の第２被係止部５ｂを嵌入することで、キャップ本体２に操作部材３Ａ，３Ｂとカバープレート５Ａ，５Ｂとをワンタッチで組み付けることができる。
【００４１】
また、カバープレート５Ａ，５Ｂは、嵌入孔状の第２被係止部５ｂを操作部材３Ａ，３Ｂの突起状の第２係止部３ｃから外した状態で、コイルスプリング４Ａ，４Ｂの付勢力に抗してフック孔状の第１被係止部５ａを操作部材３Ａ，３Ｂのフック状の第１係止部３ｂから外さないと、操作部材３Ａ，３Ｂから分離できない。これにより、ユーザーが誤ってカバープレート５Ａ，５Ｂに触れても、カバープレート５Ａ，５Ｂが外れるおそれがなくなる。
【符号の説明】
【００４２】
１      レンズキャップ
２      キャップ本体
２ａ    凹部
２ｂ    底面
２ｃ    第１開口部
２ｄ    第２開口部
３Ａ，３Ｂ  操作部材
３ａ    係合部
３ｂ    第１係止部
３ｃ    第２係止部
３ｆ    裏面
４Ａ，４Ｂ  コイルスプリング（付勢部材）
５Ａ，５Ｂ  カバープレート
５ａ    第１被係止部
５ｂ    第２被係止部
５ｅ，５ｆ，５ｇ  覆い部
【図１】
2015169872.tif 000003
【図２】
2015169872.tif 000004
【図３】
2015169872.tif 000005
【図４】
2015169872.tif 000006
【図５】
2015169872.tif 000007
【図６】
2015169872.tif 000008
【図７】
2015169872.tif 000009